(57)【特許請求の範囲】
【請求項１】
蓋体に設けられた係止片に引っ掛かることで当該蓋体の開放を阻止する係止片を有し、容器本体の側壁に形成された切り欠き部に配置された操作部材が、容器本体の内側に押し込まれることによって、蓋体の開放が可能となる合成樹脂製の開閉容器であって、
容器本体と操作部材との間を、ヒンジ部に介して一体に連結すると共に、
当該ヒンジ部を基点にした操作部材の引き起こしによって、前記切り欠き部を形作る側壁に引っ掛かることで、操作部材を起立状態に維持する係止突起を、当該操作部材の両側に設け、
操作部材の上端部に形成された開口部から突出するように開口部に嵌合させることにより蓋体の開放時に蓋体の係止片を押し上げる突起を有すると共に、操作部材の押し込みに対する復元力を与える、操作部材と容器本体との間に設けられた弾性部材を備えることを特徴とする、合成樹脂製の開閉容器。
【請求項２】
請求項１において、ヒンジ部は、操作部材の押し込みに対する復元力を与える湾曲部分を有することを特徴とする、合成樹脂製の開閉容器。
【請求項３】
請求項１又は２において、弾性部材は、シート状の部材であることを特徴とする、合成樹脂製の開閉容器。
【請求項４】
請求項１乃至３のいずれか１項において、操作部材の両側に、容器本体の内部に向かって延在し、容器本体の底壁部に接触することで、操作部材の傾倒を規制するストッパを設けたことを特徴とする、合成樹脂製の開閉容器。
【請求項５】
請求項１乃至４のいずれか１項において、蓋体と容器本体とを回動可能に軸支したことを特徴とする、合成樹脂製の開閉容器。
【請求項６】
請求項１乃至５のいずれか１項において、容器本体及び操作部材の少なくとも一方をインサート品として成形したことを特徴とする、合成樹脂製の開閉容器。
【発明の詳細な説明】
【技術分野】
【０００１】
本発明は、蓋体に設けられた係止片に引っ掛かることで当該蓋体の開放を阻止する係止片を有し、容器本体の側壁に形成された切り欠き部に配置された操作部材が、容器本体の内側に押し込まれることによって、蓋体の開放が可能となる合成樹脂製の開閉容器に関するものである。
【背景技術】
【０００２】
従来の合成樹脂製の開閉容器には、蓋体に設けられた係止片を、容器本体に設けた係止片に引っ掛けることで、蓋体の開放を阻止すると共に、容器本体と別体の操作部材を用いて、これを回転又はスライドさせることで、蓋体の係止片を押し上げることにより蓋体を開けられるようにしたものがある（例えば、特許文献１参照）。
【先行技術文献】
【特許文献】
【０００３】
【特許文献１】実開昭６４−６２５９号公報
【発明の概要】
【発明が解決しようとする課題】
【０００４】
これに対し、本願発明者は、従来の開閉容器は、操作部材が容器本体と別体に構成されているため、部品点数の削減の余地があることを見出すと共に、部品点数の削減により、操作性が損なわれるような状態は極力回避すべきことを認識するに至った。
【０００５】
本発明の目的とするところは、蓋体の開閉に要する操作性を損なうことなく、部品点数の削減が図られた、新規な合成樹脂製の開閉容器を提供することにある。
【課題を解決するための手段】
【０００６】
本発明は、蓋体に設けられた係止片に引っ掛かることで当該蓋体の開放を阻止する係止片を有し、容器本体の側壁に形成された切り欠き部に配置された操作部材が、容器本体の内側に押し込まれることによって、蓋体の開放が可能となる合成樹脂製の開閉容器であって、容器本体と操作部材との間を、ヒンジ部に介して一体に連結すると共に、当該ヒンジ部を基点にした操作部材の引き起こしによって、切り欠き部を形作る側壁に引っ掛かることで、操作部材を起立状態に維持する係止部を、当該操作部材の両側に設け、操作部材の上端部に形成された開口部から突出するように開口部に嵌合させることにより蓋体の開放時に蓋体の係止片を押し上げる突起を有すると共に、操作部材の押し込みに対する復元力を与える、操作部材と容器本体との間に設けられた弾性部材を備えることを特徴とするものである。
【０００７】
本発明では、ヒンジ部は、操作部材の押し込みに対する復元力を与える湾曲部分を有するものであることが好ましい。
【０００８】
また、本発明では、弾性部材は、シート状の部材とすることができる。
【０００９】
本発明では、操作部材の両側に、容器本体の内部に向かって延在し、容器本体の底壁部に接触することで、操作部材の傾倒を規制するストッパを設けることが好ましい。
【００１０】
本発明は、蓋体と容器本体とを回動可能に軸支した開閉容器に採用することができる。また、本発明は、容器本体及び操作部材の少なくとも一方をインサート品として成形することができる。
【発明の効果】
【００１１】
本発明によれば、容器本体と操作部材との間を、ヒンジ部に介して一体に連結することで、部品点数を削減することができる。このため、例えば、生産性やコスト性に優れる。また、部品点数を削減したことで、部品の保管場所を小さく抑えることができる。
【００１２】
加えて、本発明によれば、操作部材の両側に、ヒンジ部を基点にした引き起こしによって、前記切り欠き部を形作る側壁に引っ掛かることで、操作部材を起立状態に維持する係止部を設けたことから、蓋体を開放したのちも、操作部材が外側に倒れないため、再度、蓋体を閉じたときに、操作部材に設けた係止片に対して、蓋体に設けた係止片を容易に引っ掛けることができる。これにより、操作部材の倒れを気にすることなく、従来と同様に使用することができる。
【００１３】
従って、本発明によれば、蓋体の開閉に要する操作性を損なうことなく、部品点数の削減が図られた、新規な合成樹脂製の開閉容器を提供することができる。
【図面の簡単な説明】
【００１４】
【図１】(a)は、本発明の一形態である、コンパクト容器を蓋体側から示す平面図であり、(b)は、図１のＡ−Ａ断面図である。
【図２】(a)は、図１のＢ−Ｂ断面図であり、(b)は、図１のＣ−Ｃ断面図である。
【図３】(a)は、同形態に係る、容器本体と操作部材との一体成形品を、蓋体との合わせ面側から示す平面図であり、(b)は、(a)のＤ−Ｄ断面図である。
【図４】(a)は、図３に示す領域Ｘの拡大図であり、(b)は、(a)のＥ−Ｅ断面図である。
【図５】(a)は、同形態に係る操作部材を、容器本体の側壁に組み付けた状態を示す要部斜視図であり、(b)は、同形態に係る操作部材を、容器本体の側壁に組み付ける前の状態を示す要部斜視図である。
【発明を実施するための形態】
【００１５】
以下、図面を参照して、本発明の一形態である、合成樹脂製のコンパクト容器を詳細に  説明する。
【００１６】
図１にて、符号１は、本発明の一形態である、コンパクト容器である。コンパクト容器１は、図２等に示すように、容器本体２を有する。容器本体２は、底壁部３と、この底壁部３から一体に起立する側壁部４とを有する。側壁部４は、図３(a)に示すように、底壁部３の縁部に沿って設けられている。これにより、側壁部４の内側には、中枠２０を配置するための収納凹部５が形成される。中枠２０は、例えば、図１(b)に示すように、中皿２１を着脱可能に係合保持する空間領域Ｒ1と共に、パフ（スポンジ）２２を収納する空間領域Ｒ2とを形成する。
【００１７】
また、コンパクト容器１は、図２に示すように、容器本体２との間に、収納空間Ｓを形成する蓋体６を有する。蓋体６は、図１(a)に示すように、２つのピン部材Ｐによって容器本体２に連結されている。これにより、蓋体６は、２つのピン部材Ｐを基点に、容器本体２に対して開閉することができる。
【００１８】
また、蓋体６の裏面には、図２(a)に示すように、鏡Ｍが固定されていると共に、蓋体６を閉じた状態で容器本体２に固定するための、爪状の係止片７が一体に垂下する。係止片７は、収納空間Ｓに向かって指向する。
【００１９】
これに対し、操作部材８は、矩形のプレート部材であって、図２(a)に示すように、係止片７に向かって指向する、爪状の係止片９を一体に有する。係止片９は、同図に示すように、蓋体６に設けられた係止片７に引っ掛かることで蓋体６の開放を阻止する。これにより、蓋体６を閉じた状態に固定することができる。
【００２０】
操作部材８は、図５(a)に示すように、容器本体２に設けられた２つの側壁４の相互間に形成された切り欠き部Ｇに配置されている。また、操作部材８は、図２(a)等に示すように、ヒンジ部１０を介して容器本体２と共に、その底壁部３に一体に成形されている。本形態では、ヒンジ部１０は、図３(a)等に示すように、回動軸方向（ピン部材Ｐの延在方向）に沿って間隔を空けて、二箇所に設けられている。これにより、図５(b)に示す状態からヒンジ部１０を基点に操作部材８を引き起こすと、図５(a)に示すように、操作部材８は、切り欠き部Ｇに配置される。
【００２１】
更に、操作部材８の両側にはそれぞれ、図５(a)等に示すように、ヒンジ部１０を基点にした引き起こしによって、図１に示すように、切り欠き部Ｇを形作る側壁４の側縁４ｅに引っ掛かることで、操作部材８を起立状態に維持する係止突起１１が設けられている。
【００２２】
本形態では、切り欠き部Ｇを形作る側壁４を、容器本体２の内部（収納凹部５）に向かって延在させることで、側壁４と共に同一面４ｆを形成する延長部４１を設けている。このため、操作部材８の両側にそれぞれ、係止突起１１が延長部４１の先端に形作られた側壁４の側縁４ｅに引っ掛かるように、延長部１２を一体に設け、この延長部１２に、係止突起１１を配置している。
【００２３】
容器本体２、操作部材８及びヒンジ部１０は、図３(a)に示すように、例えば、熱可塑性樹脂を用いた射出成形により一体に成形される。これにより、操作部材８を容器本体２に押し込むと、当該操作部材８がヒンジ部１０を介して傾倒することで、蓋体６に設けた係止片７から係止片９が開放されることで、蓋体６を開けることができる。また、操作部材８への押し込みを解除しても、係止突起１１が側壁４の側縁４ｅに引っ掛かることで、操作部材８が容器本体２の外側に倒れこむようなことがない。
【００２４】
なお、本形態では、図５に示すように、操作部材８の両側にそれぞれ、延長部１２と並んでストッパ１３が一体に設けられている。ストッパ１３は、収納凹部５（収納空間Ｓ）に向かって延在し、操作部材８を押し込んだとき、操作部材８が一定の角度以上に傾倒すると底壁部３に接触する。これにより、操作部材８の押し込みによる傾倒を一定の角度に規制することができる。
【００２５】
上述のように、本形態によれば、容器本体２と操作部材８との間を、ヒンジ部１０に介して一体に連結することで、部品点数を削減することができる。このため、例えば、生産性やコスト性に優れる。また、部品点数を削減したことで、部品の保管場所を小さく抑えることができる。
【００２６】
加えて、本形態では、操作部材８の両側に、ヒンジ部１０を基点にした引き起こしによって、切り欠き部Ｇを形作る側壁側縁４ｅに引っ掛かることで、操作部材８を起立状態に維持する係止突起１１を設けたことから、蓋体６を開放したのちも、操作部材８が倒れないため、再度、蓋体６を閉じたときに、操作部材８に設けた係止片９に対して、蓋体６に設けた係止片７を容易に引っ掛けることができる。これにより、操作部材８の倒れを気にすることなく、従来と同様に使用することができる。
【００２７】
従って、本発明によれば、蓋体６の開閉に要する操作性を損なうことなく、部品点数の削減が図られた、新規なコンパクト容器を提供することができる。
【００２８】
また、本形態では、図４(b)や図５(b)に示すように、ヒンジ部１０は、湾曲部分１０ａを有する。湾曲部分１０ａは、同図に示すように、操作部材８を側壁４の側縁４ｅに引っ掛けて固定しない状態において、操作部材８を外側に開かせるように弓なりに湾曲する。このため、操作部材８を側壁４の側縁４ｅに引っ掛けて固定すると、ヒンジ部９は、操作部材８に対して操作部材８の押し込みに対する復元力を与える。これにより、操作部材８の押し込みを解除すると、操作部材８は、図５(a)に示すように、蓋体６の係止片７を引っ掛けることができる位置まで自動的に復帰させることができる。従って、かかる構成によれば、蓋体６の開閉に要する操作性を向上させることができる。
【００２９】
ところで、容器本体２及び操作部材８は、ヒンジ部１０を介して一体に連結しているが、この連結は、容器本体２及び操作部材８の少なくとも一方をインサート品として、ヒンジ部１０を成形するように構成することもできる。この場合、少なくともヒンジ部１０を異材質の材料で構成できるため、容器本体２や操作部材８を剛性の高い硬い樹脂で成形で来る一方、ヒンジ部１０を弾性変形し易い樹脂で構成することで、操作性の向上を図ることができる。
【００３０】
また、本形態では、図２(a)に示すように、操作部材８と容器本体２との間に、操作部材の押し込みに対する復元力を与える弾性部材１４を設けている。弾性部材１４は、ゴム材やエラストマ等を原料とするシート状の部材としてなる。これを同図に示すように、Ｌ字状に形成し、又は、操作部材８と容器本体２との間にＬ字状に折り曲げた状態で配置すれば、操作部材８の押し込みを解除すると、操作部材８は、図５(a)に示すように、蓋体６の係止片７を引っ掛けることができる位置まで確実に復帰させることができる。従って、かかる構成によれば、蓋体６の開閉に要する操作性を更に向上させることができる。
【００３１】
なお、弾性部材１４は、復元力を発揮させる構成のものであれば、その形状や材質は問わない。また、弾性部材１４は、操作部材８と中枠２０との間に設けることもできる。更に、弾性部材１４を省略することも可能である。この場合は、例えば、操作部材８に突起部を設け、この突起部が操作部材８を押し込んだ際に、中枠２０等に接触することで変形し、復元力を発揮させるように構成する。
【００３２】
弾性部材１４は、例えば、図５に示すように、操作部材８の上端部に２つの開口部１６を形成し、これら開口部１６それぞれに嵌合させる突起を設けることで固定することができる。この場合、弾性部材１４に設けた突起は、開口部１６から突出させることで、蓋体６の係止片７を押し上げるように構成することも可能である。
【００３３】
加えて、本形態の如く、操作部材８の両側に、容器本体２の内部に向かって延在し、底壁部３に接触することで、操作部材８の傾倒を規制するストッパ１３を設ければ、操作部材８を押し込んだことで、操作部材８が収納空間Ｓ側に倒れたまま、機能不全になることを防止することができる。従って、かかる構成によれば、蓋体６の開閉に要する操作性を向上させることができる。
【００３４】
本発明は、上述のとおり、蓋体６と容器本体２とをピン部材Ｐによって回動可能に軸支したコンパクト容器に採用することができる。
【００３５】
上述したところは、本発明の一形態を示したにすぎず、本発明に従えば、種々の変更を加えることができる。例えば、本形態は、蓋体６をピン部材Ｐによって容器本体２に連結するものであるが、本発明に従えば、蓋体６と容器本体２との関係は、こうした構成のものに限定されるものではない。
【産業上の利用可能性】
【００３６】
本発明は、蓋体に設けられた係止片に引っ掛かることで当該蓋体の開放を阻止する係止片を有し、容器本体の側壁に形成された切り欠き部に配置された操作部材が、容器本体の内側に押し込まれることによって、蓋体の開放が可能となる合成樹脂製の開閉容器であれば、様々な開閉容器に採用することができる。
【符号の説明】
【００３７】
１    コンパクト容器
２    容器本体
３    底壁部
４    側壁部
４ｅ  側縁
５    収納凹部
６    蓋体
７    係止片
８    操作部材
９    係止片
１０  ヒンジ部
１１  係止突起（係止部）
１２  延長部
１３  ストッパ
１４  弾性部材
【図１】
0005721999.tif 000002
【図２】
0005721999.tif 000003
【図３】
0005721999.tif 000004
【図４】
0005721999.tif 000005
【図５】
0005721999.tif 000006